(57)【要約】      （修正有）【課題】両隣の人を気にせずに遊技をすることができるほか、おしぼり、灰皿、飲み物などのスペースを十分とることができ、しかも室内の形状に応じて適した配置とすることができるスロットマシーン型遊技具配置群を提供する。【解決手段】隣接するスロットマシーン型遊技具載置台１の間に略三角柱形に形成したスペーサー２を位置させて、スロットマシーン型遊技具載置台をリング状に配置し、配置したスロットマシーン型遊技具群で囲い３を形成した。【選択図】図１
0003120480.tif 000002
【実用新案登録請求の範囲】
【請求項１】
隣接するスロットマシーン型遊技具載置台の間に略三角柱形に形成したスペーサーを位置させて、前記スロットマシーン型遊技具載置台をリング状に配置し、配置したスロットマシーン型遊技具群で囲いを形成したことを特徴とするスロットマシーン型遊技具。
【請求項２】
前記スロットマシーン型遊技具載置台を、柱を囲むように配置する請求項１記載の遊技具。
【請求項３】
前記囲い内に、回転式連絡板を配置する請求項１記載の遊技具。
【請求項４】
前記回転式連絡板は、基台に立設した支柱の上端に、モーターで回転し得る連絡板を連設することにより構成されている請求項１〜３のいずれかに記載の遊技具。
【請求項５】
前記スロットマシーン型遊技具載置台とスペーサーとの上端面は、略同じ高さに形成されている請求項１〜４のいずれかに記載の遊技具。
【請求項６】
前記スロットマシーン型遊技具載置台とスペーサーとは、接触若しくは近接している請求項１〜５のいずれかに記載の遊技具。
【請求項７】
前記略三角柱形スペーサーの内方に向く角の角度を、略３０°又は略６０°に形成する請求項１〜６のいずれかに記載の遊技具。
【請求項８】
前記略三角柱形スペーサーは、三角柱形又は外周面となる辺が円弧状に形成された形状である請求項１〜７のいずれかに記載の遊技具。
【請求項９】
前記略三角柱形スペーサー底面に、隣接する両スロットマシーン型遊技具の配線を連結するための凹部を形成し、該凹部は、両隣接するスロットマシーン型遊技具載置台に対向し、底面を連通するように形成されている請求項１〜８のいずれかに記載の遊技具。
【請求項１０】
前記略三角柱形スペーサーは、前記スロットマシーン型遊技具載置台の間に、単数若しくは複数設けられている請求項１〜９のいずれかに記載の遊技具。
【考案の詳細な説明】
【技術分野】
【０００１】
この考案は、スロットマシーン若しくはパチンコのようなスロットマシーン型遊技具に係り、詳記すれば、略三角柱形のスペーサーを使用してリング状に配置したスロットマシーン型遊技具に関する。
【背景技術】
【０００２】
スロットマシーン遊技具は、その遊技者の対向面中央に、水平方向の回転軸を有する３個の回転ドラムが設けられ、始動ボタンを押すことによりそれら回転ドラムが回転し、その後、各回転ドラムに対応する停止ボタンを押すことにより順次停止させるように構成されている。そして、各回転ドラムの側面に描かれた記号、図柄等が一致して停止した場合に、「当たり」となり多数のコインを獲得できるようになっている。
【０００３】
従来、スロットマシーン型遊技具は、側面同士を隣接させて直線状に配置していた。そして限られた区間スペースにできるだけ多数配置するため、側面同士は接触若しくはできるだけ近接させて配置していた。
【０００４】
しかしながら、このように配置したのでは、室内の形状によっては、或いは柱がある場合等は、多くの個数を配置できない問題があった。そればかりか、どの店も同じ配置であるので、遊技場としての面白みに欠けるほか、両隣の近くに別の遊技者がいる場合があるが、その場合は自分だけの楽しみの空間が形成できず、遊技者によっては遊技が十分楽しめないという問題があった。
【０００５】
また、スロットマシーン型遊技具の遊技者全員への連絡は、従来は室内放送の手段に限られており、視覚を通じて行うことはできなかった。
【０００６】
更に、従来は、おしぼり、灰皿及び飲み物の容器等は、スロットマシーン型遊技具より前面に出ている載置台の部分に置いていたが、狭くて、遊技の邪魔になる問題があった。
【考案の開示】
【考案が解決しようとする課題】
【０００７】
この考案は、このような点に着目してなされたものであり、両隣の人を気にせずに遊技をすることができるほか、おしぼり、灰皿、飲み物などのスペースを十分とることができ、しかも室内の形状に応じて適した配置とすることができるスロットマシーン型遊技具配置群を提供することを目的とする。
【０００８】
またこの考案は、遊技者全員への視覚を通じた連絡を瞬時に行うことができると共に、室内に柱があっても支障なく実施できるスロットマシーン型遊技具配置群を提供することを目的とする。
【０００９】
本考案者は、スロットマシーン型遊技具載置台をリング状に配置することを考えついたが、単にスロットマシーン型遊技具をリング状に配置したのでは、隣接するスロットマシーン型遊技具の外側に空間が生じるので、外観上不体裁であるし、角部に人間がぶっかっても危険であり、またスロットマシーンが移動する場合があるので安定感が悪い。しかして従来、スロットマシーン型遊技具をリング状に配置することは全く知られていない。
【００１０】
また、従来スロットマシーン型遊技具の配置は、隣接するスロットマシーンの距離はできるだけ短くする方向で考えられてきたので、このような間隔を設ける発想自体容易に考えつかないことであった。
【課題を解決するための手段】
【００１１】
上記目的を達成するため、本考案者は、鋭意研究の結果、略三角柱形に形成したスペーサーを介してスロットマシーン型遊技具載置台をリング状に配置することによって、上記目的が達成し得ることを見出し、本考案に到達した。
【００１２】
即ち、本考案のうち請求項１に記載の考案は、隣接するスロットマシーン型遊技具載置台の間に略三角柱形に形成したスペーサーを位置させて、前記スロットマシーン型遊技具載置台をリング状に配置し、配置したスロットマシーン型遊技具群で囲い（空間）を形成したことを特徴とする。
【００１３】
柱を囲むように前記スロットマシーン型遊技具載置台を配置することにより、室内に柱が立設している場合に効果的にスロットマシーン型遊技具を配置することができる（請求項２）。
【００１４】
前記囲い内に、回転式連絡板を配置することにより、多数の遊技者に視覚を通じた特定のメッセージを伝達することができる（請求項３）。
【００１５】
前記回転式連絡板は、基台に立設した支柱の上端に、モーターで回転し得る連絡板を連設することにより構成するのが好ましい（請求項４）。
【００１６】
前記スロットマシーン型遊技具載置台とスペーサーとの上端面は、略同じ高さに形成するのが、おしぼり、灰皿、飲み物容器等が置き易いので好ましい（請求項５）。
【００１７】
前記スロットマシーン型遊技具載置台とスペーサーとは、接触若しくは近接状態とするのが、外観上及び安定感があることから好ましい（請求項６）。
【００１８】
前記略三角柱形スペーサーの内方に向く角の角度を、略３０°又は略６０°に構成することによって、種々のリング状配置とすることができる（請求項７）。
【００１９】
前記略三角柱形スペーサーは、三角柱形又は外周面となる辺が円弧状に形成された形状とするのが好ましい（請求項８）。また三角形の角部は、完全な角でなくともよく、マクロ的に見て大体三角形の形状であれば差し支えない。
【００２０】
前記略三角柱形スペーサー底面に、隣接する両スロットマシーン型遊技具の配線を連結するための凹部を形成し、該凹部は、両隣接するスロットマシーン型遊技具載置台に対向し、底面を連通するように形成するのが良い（請求項９）。両隣のスロットマシーン型遊技具を連結させて、遊技を行う場合があるからである。
【００２１】
前記略三角柱形スペーサーは、前記スロットマシーン型遊技具載置台の間に、必ず単数若しくは複数設けられている（請求項１０）。
【考案の効果】
【００２２】
本発明によれば、略三角柱形スペーサーを使用することによって、両隣の人を気にせずに遊技をすることができ、遊技が十分楽しめるほか、おしぼり、灰皿、飲み物などを十分なスペースにおくことができ、ゆったりとした気分で遊技を十分楽しむことができる。
【００２３】
また、リング状という従来にない配置とすることができるので、遊技者全員への視覚を通じた連絡を瞬時に行うことができると共に、柱があったりしても支障なく配置することができる。
【００２４】
三角柱形スペーサーを設けることによって、室内スペースは取られるが、スロットマシーン型遊技具載置台に灰皿等の置くスペースを設ける必要がなくなることと、自由な配置ができるようになることから、一般にはスロットマシーン型遊技具の配置個数は少なくならない。
【考案を実施するための最良の形態】
【００２５】
以下、本考案の好ましい実施の形態を、添付図面に基づいて詳細に説明する。
【００２６】
図１（Ａ）〜（Ｄ）は、本考案の実施例を示すものであり、（Ａ）はスロットマシーン型遊技具載置台１を三角柱形スペーサー２を介して、上面略面一のリング状に配置させて、中央に平行四辺形の囲い（空間）３を形成した例を示す。スロットマシーン型遊技具は、このスロットマシーン型遊技具載置台１上に載置される。この実施例では、形成されたリングの長さ方向両側部には、隣接するスロットマシーン型遊技具載置台１，１間に、三角柱形スペーサー２，２が２個配置している。
【００２７】
三角柱形スペーサー２は、図２（Ａ）に示すように、全ての角度が６０度の正三角柱形に形成されている。この実施例では、三角柱形スペーサー２は、三角筒状体４の上面に蓋体５が、下面に底板（図示せず）が嵌合することにより形成されている。配置した場合に外周面となる三角柱形スペーサーの面には、化粧板を貼着させておくのが、外観上の理由から好ましい。
【００２８】
上記実施例においては、スロットマシーン型遊技具載置台１と三角柱形スペーサー２とは、接触させて配置している。若干の隙間はあっても差し支えないが、接触させた方が外観上及び安定感があることから好ましい。
【００２９】
図１（Ｂ）は、スロットマシーン型遊技具載置台１を、三角柱形スペーサー２を介して６個接触配置してリング状に配置し、中央に正六角形状の囲い３を形成した例を示す。
【００３０】
図１（Ｃ）は、スロットマシーン型遊技具載置台１を、三角柱形スペーサー２又は２´を介して８個接触配置してリング状とし、中央に八角形状の囲い３を形成した例を示す。
【００３１】
三角柱形スペーサー２は、リングの長さ方向に対向したスロットマシーン型遊技具載置台１をそれぞれ挟持するように配置し、三角柱形スペーサー２´は、リングの短手方向に対向したスロットマシーン型遊技具載置台１に挟持されるように配置している。
【００３２】
三角柱形スペーサー２´は、図２（Ｂ）に示すように、形成したリングの内方に向く角６の角度が、略３０°に形成されている。図２（Ａ）と（Ｂ）の２種類の三角柱形スペーサー２及び２´を単独若しくは組み合わせて使用することによって、スロットマシーン型遊技具載置台１を種々の配置とすることができるので、室内の形状に合わせて適したリング状の配置とすることができる。
【００３３】
図１（Ｄ）は、スロットマシーン型遊技具載置台１を、三角柱形スペーサー２´又は２´及び２を介して６個接触連設してリング状に配置し、中央に細長い六角形状の囲い３を形成した例を示す。短手方向に対向するスロットマシーン型遊技具載置台１間には、三角柱形スペーサー２´が挟持され、長手方向には、三角柱形スペーサー２が対向して、同三角柱形スペーサー２を三角柱形スペーサー２´が挟持している。
【００３４】
図２（Ｃ）に示す実施例では、前記略三角柱形スペーサー２底面のスロットマシーン型遊技具対向方向には、隣接する両スロットマシーン型遊技具の配線を連結するための凹部７が形成されている。該凹部７は、両隣接するスロットマシーン型遊技具載置台１に対向し、底面を連通するように形成されている。
【００３５】
図３（Ａ）は、スロットマシーン型遊技具載置台１を三角柱形スペーサー２を介して４台配置し、中央に菱形の囲い３を形成した例を示す。尚、長さ方向対向部には、それぞれ２個の三角柱形スペーサー２，２が介装されている。
【００３６】
図３（Ｂ）は、スロットマシーン型遊技具載置台１を、三角柱形スペーサー２と２´を介して４台配置し、中央に正方形の囲い３を形成した例を示す。
【００３７】
図４は、スロットマシーン型遊技具載置台１を、三角柱形スペーサー２，２´を介して５台配置し、中央に５角形の囲い３を形成した例を示す。下端のスロットマシーン型遊技具載置台１両側部には、三角柱形スペーサー２と２´を介してスロットマシーン型遊技具載置台１ａ，１ｂを配置して、上部が開口した正方形の開口を形成し、その上方には三角柱形スペーサー２´を介してそれぞれスロットマシーン型遊技具載置台１ｃ，１ｄが配置し、上記開口の開口部に連通する開口部を下端に有する三角形の開口を形成している。尚、スロットマシーン型遊技具載置台１ｃ，１ｄ間には、三角柱形スペーサー２を挟んで三角柱形スペーサー２´が配置されている。
【００３８】
図５は、スロットマシーン型遊技具載置台１を６個配置した例を示すものであり、図５（Ａ）は、スロットマシーン型遊技具載置台１を三角柱形スペーサー２を介して３台配置し、これを形成する細長い六角形の囲い３を挟んで対向配置し、長さ方向対向部には、三角柱形スペーサー２を挟んで三角柱形スペーサー２´を配置した例を示す。
【００３９】
図５（Ｂ）は、スロットマシーン型遊技具載置台１を三角柱形スペーサー２又は２´を介して、形成する細長い六角形の開口３を挟んで３台対向配置し、長さ方向対向部には、三角柱形スペーサー２と２´とを対向配置した例を示す。
【００４０】
図５（Ｃ）は、スロットマシーン型遊技具載置台１を三角柱形スペーサー２を介して６台配置し、中央に正六角形の囲い３を形成した例を示す。
【００４１】
図６は、スロットマシーン型遊技具載置台１を三角柱形スペーサー２又は２´を介して、中央に八角形の囲い３を形成するように８台配置した例を示す。短手方向に対向した３台のスロットマシーン型遊技具載置台１は、三角柱形スペーサー２´を介して配置され、これらと長さ方向に対向したスロットマシーン型遊技具載置台１とは、三角柱形スペーサー２を介して配置されている。
【００４２】
図７は、スロットマシーン型遊技具載置台１を三角柱形スペーサー２又は２´を介して１０台配置し、中央に十角形の囲い３を形成した例を示す。短手方向に対向したスロットマシーン型遊技具載置台１は、それぞれ三角柱形スペーサー２´を介して配置され、５台ずつ上下に配置したスロットマシーン型遊技具載置台１は、三角柱形スペーサー２を介してそれぞれ連結配置されている。
【００４３】
図８は、スロットマシーン型遊技具載置台１を三角柱形スペーサー２´を介して、中央に正十二角形の囲い３を形成するように１２台配置した例を示す。
【００４４】
図９は、本考案に使用する回転式連絡板８の一実施例を示すものであり、基台９に立設した支柱１０の上端に、モーター１１で回転し得る連絡板１２を連設することにより構成されている。尚、図中１３は、ネオン管である。
【００４５】
この回転式連絡板８を上記のように形成した囲い３内に位置させ、連絡板１２に遊技者への連絡事項を表示することによって、店内の全ての遊技者に必要事項を伝達することができる。
【図面の簡単な説明】
【００４６】
【図１】（Ａ）〜（Ｄ）は、本考案の実施例を示す斜視図である。
【図２】（Ａ）〜（Ｃ）は、本考案の三角柱形スペーサーの実施例を示す斜視図である。
【図３】スロットマシーン型遊技具載置台を４個配置する実施例を示す平面図である。
【図４】スロットマシーン型遊技具載置台を５個配置する実施例を示す平面図である。
【図５】スロットマシーン型遊技具載置台を６個配置する実施例を示す平面図である。
【図６】スロットマシーン型遊技具載置台を８個配置する実施例を示す平面図である。
【図７】スロットマシーン型遊技具載置台を１０個配置する実施例を示す平面図である。
【図８】スロットマシーン型遊技具載置台を１２個配置する実施例を示す平面図である。
【図９】本考案に使用する回転式連絡板の実施例を示す正面図である。
【符号の説明】
【００４７】
１，１ａ，１ｂ，１ｃ，１ｄ    スロットマシーン型遊技具載置台
２，２′                      三角柱形スペーサー
３                            囲い（空間）
７                            凹部
８                            回転式連絡板
【図１】
0003120480.tif 000003
【図２】
0003120480.tif 000004
【図３】
0003120480.tif 000005
【図４】
0003120480.tif 000006
【図５】
0003120480.tif 000007
【図６】
0003120480.tif 000008
【図７】
0003120480.tif 000009
【図８】
0003120480.tif 000010
【図９】
0003120480.tif 000011